(57)【要約】【課題】  保管や調整等の取り扱いが容易で厳しい環境となればなる程要求される良好な作業性を確保しつつ、調理具を簡易にかつ確実、適切に水平状態に維持して携帯式ガスバーナーにより加熱する。【解決手段】  携帯式ガスバーナー１の設置器具１０は、複数の脚部１４を有し、この複数の脚部１４の各々は、脚部本体１４Ａと、この脚部本体１４Ａの下端に設けられて接地する足１４Ｂとを有する。脚部本体１４Ａには、螺合溝１８を有するナット２２が取り付けられ、足１４Ｂは、この螺合溝１８に螺合して、その高さ位置を調節することができる。脚部１４は、水平方向に揺動自在に設置され、所定の箇所で固定することができる。【選択図】        図２
2006071245.tif 000002
【特許請求の範囲】
【請求項１】
複数の脚部を有し調理具を加熱する携帯式ガスバーナーを前記複数の脚部により保持して設置面に設置する設置器具であって、各前記脚部は、脚部本体と前記脚部本体の下端に設けられて接地する足とを有し、前記設置器具は、前記脚部に形成され前記加熱すべき調理具を水平状態に維持する水平維持手段を備え、前記水平維持手段は、前記足の高さ位置を任意に調整することにより前記加熱すべき調理具を水平状態に維持することを特徴とする携帯式ガスバーナーの設置器具。
【請求項２】
請求項１に記載された携帯式ガスバーナーの設置器具であって、前記水平維持手段は、前記複数の脚部のうちの少なくとも一つに形成された螺合溝と、前記螺合溝に螺合する足とから成っていることを特徴とする携帯式ガスバーナーの設置器具。
【請求項３】
請求項１又は請求項２のいずれかに記載された携帯式ガスバーナーの設置器具であって、前記複数の脚部のうち少なくとも一つが、水平方向に揺動自在に設定されていることを特徴とする携帯式ガスバーナーの設置器具。
【請求項４】
請求項３に記載された携帯式ガスバーナーの設置器具であって、前記揺動自在に設定された脚部は、所定の位置で固定できることを特徴とする携帯式ガスバーナーの設置器具。
【発明の詳細な説明】
【技術分野】
【０００１】
本発明は、例えば、登山やキャンプ等のアウトドア（野外）での活動に際して、クッカー等の調理具を加熱に使用される携帯式ガスバーナーを、安定的に地面に設置するための設置器具の改良に関するものである。
【背景技術】
【０００２】
主に、登山やキャンプ等のアウトドアでの調理に使用される携帯式ガスバーナーは、燃料源として、プロパン又はブタン等の液化ガス等の燃料が充填された交換可能なカートリッジ式の燃料タンクを備え、着火部を、この燃料タンクにホース等で連結することにより（セパレートタイプ）、又は、燃料タンク上に連結することにより（一体型）、点火して、着火部上に設置されたクッカーその他の調理具を加熱する。
【０００３】
このような携帯式ガスバーナーにおいては、通常は、セパレートタイプであれば、着火部を複数の脚部を有する設置器具により保持して設置面に設置される。同様に、着火区部と燃料タンクとが一体化した一体型においても、通常は、燃料タンクをそのまま接地させて使用するが、燃料タンクの底面の面積が小さく安定的に設置できない場合や、燃料タンクの直径に比し携帯式ガスバーナーの高さが高く不安定になりがちな場合には、複数の脚部を有する設置器具により支持したり（例えば、特許文献１参照）、携帯式ガスバーナー自体に脚部を有する設置器具を備設して、この脚部を立脚させることにより携帯式ガスバーナーを安定的に支持することも提案されている（例えば、特許文献２参照）。これらの設置器具は、携帯式ガスバーナーを支持する支点間の間隔を広げて、携帯式ガスバーナーを安定的に支持するためである。
【０００４】
しかし、携帯式ガスバーナーの設置面は、常に水平面であるとは限らず、特に、登山等においては標高が高くなればなる程、広い面積を有する水平面を確保することは困難となる傾向がある。その結果、携帯式ガスバーナーの着火部上に載置される調理具を水平状態に維持できず、適切に調理することができない場合があった。具体的には、セパレートタイプであれば、着火部を保持する設置器具を、また、一体型の携帯式ガスバーナーにおいて、燃料タンクをそのまま設置させる場合は勿論のこと、複数の脚部を有する設置器具を使用しても、設置器具の設置面を同一水平面上に跨って確保することができず、設置器具の利点を充分に生かして、携帯式ガスバーナーを安定的に設置することができない場合があった。
【０００５】
この場合、従来は、設置器具の一部に、別途、高さ調節のためのアダプタを着脱自在に取り付けて対応することが行われていた（例えば、非特許文献１参照）。このアダプタは、設置器具の脚部に形成されたレール状の突起に、アダプタ内部に段階的に形成された複数の嵌合溝のうちのいずれか一つを選択して嵌合させることにより、接地面の高さ位置を調整するものである。
【０００６】
しかし、このように、小さな部品である別体のアダプタを着脱自在に取り付けてガスバーナーを水平状態に維持しようとすると、当該アダプタの荷物からの取り出しや格納等の保管に手間を要し、特に、高地登山等の厳しい環境で、荷物からの取り出し等の作業をすることには困難を伴うことが多く、その結果、アダプタ自体を紛失するおそれもあった。
【０００７】
また、このような取り出し等の保管作業のみならず、特に寒冷地等においては、厚手のグローブをしているため、アダプタの脚部への着脱作業自体にも、困難を伴うことがあり、その結果、携帯式ガスバーナーの着火部上に載置される調理具を適切に水平状態とすることができない場合があった。
【０００８】
更に、アダプタによる水平維持では、接地面の高さ位置を段階的にしか調整することができず、携帯式ガスバーナーの設置位置によっては、必ずしも携帯式ガスバーナー、ひいてはその着火部上に載置される調理具を適切に水平状態とすることができない場合もあった。
【０００９】
加えて、このような場合に、複数の脚部のうちのいずれかの脚部の位置を僅かにずらすだけで水平状態を確保できる場合であっても、複数の脚部間の間隔が一定的であると、当該位置に設置することを断念して、また新たな設置箇所を模索しなければならない場合もあった。
【特許文献１】意匠登録第８６３９１８号公報
【特許文献２】特開２０００−２４０９４５号公報
【非特許文献１】株式会社ユニバーサルトレーディング（特許出願人）のホームページ、”商品紹介>アクセサリー各種”、[online]、最終更新日平成１６年４月１２日、［平成１６年９月７日検索］、インターネット＜ＵＲＬ：http://www.epigas.com/product/index.htm＞
【発明の開示】
【発明が解決しようとする課題】
【００１０】
本発明が解決しようとする課題は、上記の問題点に鑑み、保管や調整等の取り扱いが容易で厳しい環境となればなる程要求される良好な作業性を確保しつつ、調理具を簡易にかつ確実、適切に水平状態に維持して携帯式ガスバーナーにより加熱することができる携帯式ガスバーナーの設置器具を提供することにある。
【課題を解決するための手段】
【００１１】
本発明は、上記の課題を解決するための第１の手段として、複数の脚部を有し調理具を加熱する携帯式ガスバーナーをこれらの複数の脚部により保持して設置面に設置する設置器具であって、各脚部は、脚部本体とこの脚部本体の下端に設けられて接地する足とを有し、設置器具は、脚部に形成され加熱すべき調理具を水平状態に維持する水平維持手段を備え、この水平維持手段は、足の高さ位置を任意に調整することにより加熱すべき調理具を水平状態に維持することを特徴とする携帯式ガスバーナーの設置器具を提供するものである。
【００１２】
本発明は、上記の課題を解決するための第２の手段として、上記第１の解決手段において、水平維持手段は、複数の脚部のうちの少なくとも一つに形成された螺合溝と、この螺合溝に螺合する足とから成っていることを特徴とする携帯式ガスバーナーの設置器具を提供するものである。
【００１３】
本発明は、上記の課題を解決するための第３の手段として、上記第１又は第２のいずれかの解決手段において、複数の脚部のうち少なくとも一つが、水平方向に揺動自在に設定されていることを特徴とする携帯式ガスバーナーの設置器具を提供するものである。
【００１４】
本発明は、上記の課題を解決するための第４の手段として、上記第１又は第２のいずれかの解決手段において、揺動自在に設定された脚部は、所定の位置で固定できることを特徴とする携帯式ガスバーナーの設置器具を提供するものである。
【発明の効果】
【００１５】
本発明によれば、上記のように、設置器具の一部として必須であり設置器具と一体の足自体の高さ位置を調整して携帯式ガスバーナーを水平状態に維持しているため、別途高さ調整のための部材を保管する必要がなくなり、運搬や保管等の取り扱いが容易となる実益がある。
【００１６】
本発明によれば、上記のように、足の高さ位置を任意に調整して携帯式ガスバーナーを水平状態に維持するため、足の高さ位置の微調整が可能であり様々な設置箇所に適切に対応して、携帯式ガスバーナーを簡易にかつ確実に水平状態に維持することができる実益がある。
【００１７】
本発明によれば、上記のように、接地する足を、脚部本体の螺合溝に螺合させて高さ位置を調整することができるため、足自体を回すという簡易な作業のみで、携帯式ガスバーナーを水平状態に維持することができるため、指先での作業が必ずしも容易ではない寒冷地等ににおいても適切に対応することができる実益がある。
【００１８】
本発明によれば、上記のように、脚部を揺動自在に設置しているため、複数の脚部間の間隔を調整して、足の設置位置を位置決めすることができるため、携帯式ガスバーナーの設置箇所の選択の幅が広がり、携帯式ガスバーナーを容易に水平状態に維持することができる実益がある。
【００１９】
この場合、本発明によれば、上記のように、揺動自在に設定された脚部を、所定の位置で固定しているため、携帯式ガスバーナーを安定的に支持することができる実益がある。
【発明を実施するための最良の形態】
【００２０】
本発明の実施の形態を図面を参照しながら詳細に説明すると、図１は本発明の設置器具１０を示し、この設置器具１０は、図示しない調理具を加熱する携帯型ガスバーナーを保持して地面やテーブル上等の設置面に安定的に設置するために使用される。
【００２１】
なお、この設置器具１０は、セパレートタイプのガスバーナーにおいては、図示の実施の形態のように、図示しない燃料タンクとホースにより連結される着火部１を支持する。燃料タンクと着火部とが直接連結された図示しない一体型においては、燃料タンクを下方から支持することにより保持し、又は、携帯式ガスバーナーを把持することにより保持する。
【００２２】
この設置器具１０は、図１に示すように、中央に配置されたベース部材１２と、このベース部材に取り付けられた複数の脚部１４とを備えている。この設置器具１０は、図示の実施の形態（携帯式ガスバーナーがセパレートタイプである場合）には、これらの複数の脚部１４は、同時に調理具を載置する五徳としての役割を有し、中央のベース部材１２には、図１に示すように、着火部１が設置される。図示しない一体型の携帯式ガスバーナーに適用する場合には、これらの複数の脚部１４に跨って携帯式ガスバーナーの燃料タンクを載置することにより、携帯式ガスバーナーを安定的に支持する。
【００２３】
これらの複数の脚部１４の各々は、図１及び図２に示すように、脚部本体１４Ａと、この脚部本体１４Ａの下端に設けられて接地する足１４Ｂとを有する。脚部本体１４Ａは、図１乃至図３に示すように、プレート状に形成され、足１４Ａは、できるだけ複数の脚部１４の足１４Ｂ間の間隔を広げて調理具を安定的に設置できるよう、脚部本体１４Ａの先端側（ベース部材１２から離れる方向側）に設けられて、設置面に接触することにより、携帯式ガスバーナー、ひいては調理具を支持する。
【００２４】
脚部本体１４Ａは、ある程度の剛性と軽量性とを有し、耐久性や運搬に支障を与えなければ特に限定はないが、図示の実施の形態のように、セパレートタイプの携帯式ガスバーナーにおいて、五徳としての役割をも有する場合には、伝熱性等も考慮して、ステンレス、チタン、スティール等の金属材料から形成することが好ましい。また、足１４Ｂも、携帯式ガスバーナーを安定的に保持することができれば、特に、材質に限定はないが、例えば、エチレンプロピレンゴム等から形成することができる。また、図示の実施の形態では、図１に示すように、３つの脚部１４が設定されているのが示されているが、携帯式ガスバーナーを安定的に保持することができれば、特に個数に限定はなく、４つ、５つ等に設定することもできる。但し、個数を多く設定すればする程、同時に足１４Ｂの接地箇所の数も増加し、却って設置面の選択の幅が狭まるため、図示の実施の形態のように、３つ程度とすることが望ましい。
【００２５】
本発明の接地器具１０は、図１及び図２に示すように、更に、脚部１４に形成され、図示しない加熱すべき調理具を水平状態に維持する水平維持手段１６を備え手いる。この水平維持手段１６は、足の高さ位置を任意に調整することにより加熱すべき調理具を水平状態に維持するものである。この水平維持手段１６は、具体的には、図１及び図２に示すように、脚部１４に形成された螺合溝１８と、この螺合溝１８に螺合する足１４Ｂとから成っている。
【００２６】
螺合溝１８は、特に図２に示すように、プレート状の脚部本体１４Ａにおいて足１４Ｂの上方に形成された切り欠き部２０に螺合溝１８を有するナット２２を固定的に取り付けることにより脚部本体１４Ａに形成される。この場合、ある程度の厚みを有する脚部本体１４Ａ自体に螺合溝１８を直接形成することもできるが、設置器具１０全体の重量が嵩むため、薄手のプレート状の脚部本体１４Ａにナット２２を取り付けることにより対応している。従って、脚部本体１４Ａが軽量な材料から形成されている場合には、脚部本体１４Ａ自体に直接螺合溝１８を形成することもできる。なお、図示の実施の形成では、ナット２２を嵌合、溶接等により脚部本体１４Ａに固定的に取り付けているが、ナット２２を所定の位置に確実に固定することができれば、脚部本体１４Ａに着脱又は変動自在に取り付けることにより、ナット２２の位置を変位させるように設定することもできる。これによれば、水平状態への調整の幅を広げることができる。
【００２７】
一方、足１４Ｂは、図２に示すように、ナット２２に螺合するボルト２４を取り付けることにより、螺合溝１８に螺合させることができる。より具体的には、図２に示すように、足１４Ｂの中央部にボルト２４の螺旋山を有するボルト杆２４ａを貫通させつつ、ボルト２４の頭部２４ｂを足１４Ｂに埋設することにより、この足１４Ｂから突出したボルト杆２４ａを螺合溝１８に螺合させることにより、脚部本体１４Ａに螺合自在に取り付けることができる。
【００２８】
このように、設置器具１０の通常の使用状態においても使用される足１４Ｂ自体の高さ位置を調整して、調理具を水平状態に維持するため、従来技術の別体のアダプタを使用する高さ調整と異なりと異なり、着脱及び取り出し等の作業が必要なく、また、その結果、紛失するおそれもない。更に、足１４Ｂの高さ位置を任意に調整することができるため、様々な設置面に適切に対応することができると共に、足１４Ｂを指で回すだけで水平状態を確保することができるため、指先での作業が困難な寒冷地等においても調理具を容易に水平に設置することができる。なお、このことから足１４Ｂは、指先で回転させやすいように、また、ある程度安定して調理具を設置することができるように、指先で容易に回転させることができる直径２〜３ｃｍ程度の大きさに形成することが望ましい。
【００２９】
なお、この足１４Ｂの高さ位置を調整できる水平維持手段１６は、複数の脚部１４の全てに設定することもできるが、使用時において、あまりに複雑な設置面を選択することは少なく、せいぜい１箇所の高さのみを調整すれば十分である場合も多く、また、あまりに調整箇所を増やすと、却って、水平に維持するための調整が困難となるため、通常は、１つの脚部１４に設定すれば充分といえる。
【００３０】
また、脚部１４は、図３に示すように、水平方向に揺動自在に設定されている。具体的には、脚部１４は、図３に示すように、中央のベース部材１２にヒンジ２６等により揺動自在に取り付けられることにより、水平方向に揺動することができる。これにより、足１４Ｂの接地箇所を微調整して、接地箇所の選択の幅を広げ、調理具の安定的な保持を確保することができる。
【００３１】
但し、所定の箇所に位置決めした後に、脚部１４が変位すると、調理具の安定的な保持が損なわれるので、所定の位置で固定できることが望ましい。具体的には、図４に示すように、着火部１の底面等の脚部１４が接触する箇所に、間欠的に複数の係止溝２８を形成し、脚部１４を所定の係止溝２８に係止させることにより、当該位置に固定することができる。但し、固定するための手段は、この係止溝２８に限定されるものではなく、図示しない蝶螺旋等により、任意の位置で固定することができるように設定することもできる。なお、これらの場合、脚部１４間の角度が、あまりに大きくなりすぎると、具体的には、３つの脚部１４を有する図示の実施の形態においては、均等に配置された脚部間の角度である１２０°に、左右に５°以上変位すると、却って調理具を安定性を損なう可能性があるため、揺動による変位量を、上記固定するための手段の設定箇所を調整すること等により、規制して対応することが好ましい。
【００３２】
なお、複数の脚部１４の全てを揺動自在に設定する必要は必ずしもなく、水平維持手段１６と同様、一つの脚部１４のみを揺動自在とすることもでき、また、その場合に、水平維持手段１６を有する脚部１４、それ以外の脚部１４のいずれを揺動自在とすることもできる。
【産業上の利用可能性】
【００３３】
本発明は、特に、一般には、燃料タンクと分離した着火部を有する携帯式ガスバーナーに使用することができるが、その他、燃料タンクと着火部とが直接連結された一体型の携帯式ガスバーナー等にも応用して適用することができる。
【図面の簡単な説明】
【００３４】
【図１】本発明の携帯式ガスバーナーの設置器具の概略斜視図である。
【図２】本発明に用いられる脚部の側面図である。
【図３】本発明に用いられる脚部のベース部材への取付状態を示す概略図である。
【図４】本発明に用いられる揺動自在なの脚部を固定する状態を示す概略正面図である。
【符号の説明】
【００３５】
１  携帯式ガスバーナーの着火部
１０  設置器具
１２  ベース部材
１４  脚部
１４Ａ  脚部本体
１４Ｂ  足
１６  水平維持手段
１８  螺合溝
２０  切り欠き部
２２  ナット
２４  ボルト
２６  ヒンジ
２８  係止溝
【図１】
2006071245.tif 000003
【図２】
2006071245.tif 000004
【図３】
2006071245.tif 000005
【図４】
2006071245.tif 000006